(57)【要約】      （修正有）【課題】グラフト重合系の安全で持続的な消臭効果を利用し、かつ、洗える消臭性綿入り寝具を提供する。【解決手段】中わたに、グラフト重合糸を短くカットしたりあるいは長い糸の状態で、合成繊維（ポリエチレン、ポリプロピレン、ポリエステル、ポリ塩化ビニル、ポリ酢酸ビニル）、及び天然繊維（綿、羊毛）から選択された素材に５〜５０ｗｔ％で混ぜ込んだ綿を織布で被う。【選択図】図１
0003164308.tif 000002
【実用新案登録請求の範囲】
【請求項１】
寝具において、安全で持続な消臭効果をもたせるため、グラフト重合糸を、合成繊維、又は天然繊維から選択された綿状素材に、５重量％〜５０重量％で混ぜ込んだことを特徴とする消臭性綿入り寝具
【請求項２】
グラフト重合糸は、糸状又は綿塊状繊維物質に、放射線グラフト重合を用いて、機能性官能基を有する重合成ビニルモノマーをグラフト重合させることにより得られた繊維物質から作成された糸状繊維で３ミリ〜２５００ミリのものを使用したことを特徴とする請求項１に記載の消臭性綿入り寝具
【請求項３】
合成繊維として、ポリエチレン、ポリプロピレン、ポリエステル、ポリ塩化ビニル、及びポリ酢酸ビニル、天然繊維として、綿  羊毛であって、これらの単独又は混合物を使用したことを特徴とする請求項１又は請求項２に記載のる消臭性綿入り寝具
【請求項４】
寝具として、枕、パッド、肌掛け、掛け布団、敷き布団であることを特徴とする請求項１〜請求項３のいずれかに記載の消臭性綿入り寝具
【考案の詳細な説明】
【技術分野】
【０００１】  中わたに、グラフト重合糸（特許文献１参照）の安全で持続的な消臭効果を利用するため、この糸を短くカットしたりあるいは長い糸の状態で、合成繊維（ポリエチレン、ポリプロピレン、ポリエステル、ポリ塩化ビニル、及びポリ酢酸ビニル、及び天然繊維（綿、羊毛）から選択された素材と混ぜ込み中わた自体に消臭効果を持たせる。
これによって、寝汗による悪臭や加齢臭が消臭できる枕やパッド、肌掛け等の寝具を作る事が出来る。
さらに、洗える事から排泄物があっても水洗いが可能で消臭効果の持続性も申し分ない。且つ、薬剤を吹き付けたり練り込んだりして消臭効果を持たせている中わた素材と違って、薬剤にアレルギー反応を示す方にも安心して使える。
従って、同居される方が嫌な臭いに悩まされること無く、さらに言えば介護される方の精神的苦痛も軽減される寝具を作る事が出来る。
【背景技術】
【０００２】  人は一晩寝ている間に約２００ｃｃの汗をかくと云われ、その汗は布団側地を介して布団内部までしみ込む。同時に布団内部において雑菌が繁殖し悪臭を発生することになる。
またアンモニアや酢酸、イソ吉草酸、そして最近話題になっている加齢臭におけるノネナールなどの臭いは同居人に不快なものであり、介護の現場でもストレスの一つと言われている。
従って、これらの臭いを効果的に消臭してくれる寝具の開発は望まれている所である。【０００３】  これに対し、消臭スプレーを用いて異臭を消しているのが現状である。この場合、異臭は一時的に抑えられるが、布団内部にまで浸み込んだ臭いは一時的には取れたとしても、臭いはまた発生し、根本的な解決にはつながらない。つまり、持続的に手間をかけずに浸み込んだ臭いを消すことはできないものである。【０００４】  また、特定の薬剤を中わた素材に吹き付けたり練り込んだりして消臭効果を持たせたものは現在でも多数使われているが、洗濯を繰り返すことにより効果の急激な減少は否定できない。さらには、薬物アレルギーの方には使えない。【０００５】  特開２００３−０６２３７１公報に、持続性のある着臭防止・消臭効果があり、更に、抗菌、防カビおよび防汚性を同時に満足する、優れた機能を有する綿入れ製品を提供するために、該側地表面に、アルキルシリケート系樹脂、シリコーン系樹脂およびフッ素系樹脂から選ばれた少なくとも１種のバインダーと、光触媒剤を有することを特徴とする工夫が提案されている。（特許文献２参照）【０００６】  特開平１１−１７８６８５公報に、寝心地のよい活性炭繊維シート入り寝具を提供するために、キルティング間に活性炭繊維シートをサンドイッチ状に配置したものでベッドパッドを構成し、活性炭繊維シートから放出されるマイナスイオンにより利用者の体から発散される汗や体臭を吸収させる。活性炭繊維シートには、先端に接続具を備えたアース用接続コードが取り付けられており、付属の延長コードを経てアース端子と接続可能とすることにより、マイナスイオンの新陳代謝を可能としてある。これにより永久的な吸湿、消臭効果が得られるのでこの寝具の利用により継続的な安眠を可能とする工夫が提案されている（特許文献３参照）。【０００７】  そして、特開２００９−２４０４４９公報に、ヒノキやスギ等の木材チップと羽毛両者が偏りなく混合した充填材及び当該充填材を用いた布団、枕、クッション、ダウンジャケット、寝袋を提供するためにヒノキ科の植物を用いた製造した木材を５０〜５００マイクロメートルの厚さで切削して形成したスパイラル状のチップ１、又は／及び、スギ科の植物を用いた製造した木材を５０〜５００マイクロメートルの厚さで切削して形成したスパイラル状のチップ１と、羽毛とにより成る充填材。及び、前記充填材を用いてなる、布団、枕、クッション、ダウンジャケット及び寝袋からなる群より選択されるいずれかの繊維製品。ヒノキ科、スギ科の植物を用いて製造した木材チップを用いていることから、これら木材の有する効能、すなわち香りの有するリラックス効果、ダニやカビ、細菌の発生を防ぐ防虫・防黴・抗菌効果を有する。又、消臭効果、ことにアミン系・アンモニア系の臭いを消臭する効果を有する。更には加齢臭の原因であるノネナールに対する消臭効果も有するものであることを特徴とすることが提案されている（特許文献４参照）
【先行技術文献】
【特許文献】
【０００８】
【特許文献１】特開２００２−３３９１８７公報
【特許文献２】特開２００３−０６２３７１公報
【特許文献３】特開平１１−１７８６８５公報
【特許文献４】特開２００９−２４０４４９公報
【考案の概要】
【考案が解決しようとする課題】
【０００９】  持続的に消臭する手段として光触媒を利用した物は、寝具である以上、室内で使われ夜に使われる事がほとんどである為に暗い中では効果的だとは言えない。【００１０】  また、活性炭シート等を利用してマイナスイオンの新陳代謝を実現するための装置的なものは、そのもの自体は洗えず、製造過程において複雑な工程が必要で寝具に広く且つ簡単に応用できる物とは言えない。【００１１】  木材の特性を利用は出来ても洗濯に向かず、ダニアレルギーの方にとって羽毛は避けたい素材と言われるようになった為、現代のようなアレルギー社会では高齢者に勧めにくい。【００１２】  そこで、本考案の目的は、グラフト重合糸の安全で持続的な消臭効果を利用することにあり、この糸を短くカットしたりあるいは長い糸の状態で、中わたには、合成繊維（ポリエチレン、ポリプロピレン、ポリエステル、ポリ塩化ビニル、及びポリ酢酸ビニル）、及び（綿、羊毛）から選択された素材と、混ぜ込んだりして、中わた自体に消臭効果を持たせる。
これによって、寝汗による悪臭や加齢臭が脱臭できる枕やパッド、肌掛け等の寝具で且つ洗える寝具を作る事が出来る。
【課題を解決するための手段】
【００１３】  寝具において、安全で持続な消臭効果をもたせるため、グラフト重合糸を、合成繊維、又は天然繊維から選択された綿状素材に、５重量％〜５０重量％で混ぜ込んでいる消臭性綿入り寝具である。【００１４】グラフト重合糸は、糸状又は綿塊状繊維物質に、放射線グラフト重合を用いて、機能性官能基を有する重合成ビニルモノマーをグラフト重合させることにより得られた繊維物質から作成された糸状繊維で３ミリ〜２５００ミリのものを使う。【００１５】  合成繊維として、ポリエチレン、ポリプロピレン、ポリエステル、ポリ塩化ビニル、及びポリ酢酸ビニル、天然繊維として、綿  羊毛であって、これらの単独又は混合物を使用する。【００１６】  寝具として、枕やパッド、肌掛け、掛け布団、敷き布団である。
詳しくは、グラフト重合糸の安全で持続的な消臭効果を利用するため、この糸を短くカットしたりあるいは長い糸の状態で、合成繊維（ポリエチレン、ポリプロピレン、ポリエステル、ポリ塩化ビニル、及びポリ酢酸ビニル）、及び天然繊維（綿、羊毛）から選択された素材と、混ぜ込んだ中わたにしている。【００１７】  消臭効果のあるグラフト重合糸は、他の中わた素材と満遍なく混ぜ込み中わた全体に脱臭効果を持たせるため、１０〜１００ミリ程度にカットするのが好ましい。【００１８】  消臭効果のあるグラフト重合糸は、他の中わた素材に対し、その比率が多いほど効果は大きくなるが、比率が多過ぎると寝具としての風合いが損なわれるため、重量比で１：２０〜１：１が好ましい。
【考案の効果】
【００１９】  安全で持続的な消臭効果が得られる為、アンモニアや酢酸、イソ吉草酸、そして最近話題になっている加齢臭におけるノネナールなどの臭いが付き難く、且つ消臭してくれる中わたが出来る。【００２０】  この考案による中わたを使用すれば、枕やパッド、肌掛け等の寝具を作る際の側生地は特に選ばなずに、利用できる。【００２１】  この中わたを一旦作れば多種の寝具の中わたに容易に転用できし、また、洗濯にも強く、消臭剤と違って繰り返される洗濯後の効果も長く持続する。薬剤で防臭するものではない為に薬物アレルギーの方に安心して使える。【００２２】  以上説明したように、本考案に係る寝具によれば、同居される方が嫌な臭いに悩まされること無く、さらに言えば介護される方の精神的苦痛も軽減される寝具を作る事が出来る。
【図面の簡単な説明】
【００２３】
【図１】合成繊維とグラフト重合糸をカットし混ぜ合わせた中わた
【図２】本考案の中わたを入れた枕
【図３】本考案の中わたを入れたパッド
【考案を実施するための形態】
【００２４】  以下添付図面に基づいて、本考案に係る消臭効果のあるグラフト重合糸と合成繊維を混ぜて作った消臭効果のある中わたを使った綿入り寝具の実施形態を詳細に説明する。
【００２５】  本実施例においてグラフト重合糸の安全で持続的な消臭効果を利用するため、この糸を短くカットしたり、あるいは長い糸の状態で、合成繊維（ポリエチレン、ポリプロピレン、ポリエステル、ポリ塩化ビニル、及びポリ酢酸ビニル）、及び天然繊維（綿、羊毛）から選択された素材と、混ぜ込んだ中わたを用意して枕とパッドの側地に充填する。
【００２６】  図１は、合成繊維（ポリエチレン、ポリプロピレン、ポリエステル、ポリ塩化ビニル、及びポリ酢酸ビニル）、及び天然繊維（綿、羊毛）から選択された素材と、グラフト重合糸を１５ミリにカットした物２を混ぜ合わせた寝具用中わた３である。
【００２７】  図２は、図１で作った寝具用中わた３を枕側に入れたものであり、図３は、図１で作った寝具用中わたをパッド側に入れたものである。
【００２８】  合成繊維（ポリエチレン、ポリプロピレン、ポリエステル、ポリ塩化ビニル、及びポリ酢酸ビニル）、及び天然繊維（綿、羊毛）から選択された素材１は、アレルギーの危険も考えて薬剤を加えず、かつ、洗濯に強い素材が望ましい。
【００２９】  グラフト重合糸は長い糸の状態のまま合成繊維（ポリエチレン、ポリプロピレン、ポリエステル、ポリ塩化ビニル、及びポリ酢酸ビニル）、及び天然繊維（綿、羊毛）から選択された素材に混ぜても良いが、短くカットした方が満遍なく混ぜ合わせる事が出来る。
【実施例１】
【００３０】  よって、本実施例では、枕用にポリエステルわたを４００グラムとグラフト重合糸を１５ミリにカットした物１００グラムを充填物の原料として用意し、パッド用にはポリエステルわたを８００グラムとグラフト重合糸を１５ミリにカットした物２００グラムを充填物の原料として用意した。これにより、５００グラム入りの枕と１キログラム入りのパッドを作った。【００３１】  グラフト重合糸を１５ミリにカットした素材２は、ポリエステル素材１と混合した時に違和感がないように満遍なく混ぜたものだが、寝具として製品化した時に寝心地等に違和感がなく最適である。【００３２】  なお、グラフト重合糸をカットしないと機械で混ぜ合わせることが難しく生産性が上がらない。また、グラフト重合糸をカットしないと中わた全体に満遍なく脱臭効果を持たせることが難しくなり適さないと考えた。【００３３】  図２の３中わたにおいて、グラフト重合糸を１５ミリにカットした物２の割合を多くした方が消臭効果は高まる事は言うまでもない。しかし、多くし過ぎるとコストも高くなるしポリエステルわたの風合いも損ねられ寝具として適さない中わたになるので本実施例では、グラフト重合糸を１５ミリにカットした物２とポリエステルわた１の割合を、１：４にした。【００３４】  出来上がった枕とパッドは、グラフト重合糸が混ざっているという違和感もなく寝具として十分に快適性を言える商品となった。  丸洗いしても何の変形や支障もなく、洗える枕とパッドとして商品化できる物となった。【００３５】  消臭効果については、アンモニア水を１０グラム垂らして２時間後に臭気を確認したところ、ほとんど臭いは消えていた。
【実施例２】
【００３６】  本実施例では、枕用にポリエステルわたを４７５グラムとグラフト重合糸を１５ミリにカットした物２５グラムを充填物の原料として用意し、パッド用にはポリエステルわたを９５０グラムとグラフト重合糸を１５ミリにカットした物５０グラムを充填物の原料として用意した。
これにより、５００グラム入りの枕と１キログラム入りのパッドを作った。【００３７】  出来上がった枕とパッドは、グラフト重合糸が混ざっているという違和感もなく寝具として十分に快適性を言える商品となった。  丸洗いしても何の変形や支障もなく、洗える枕とパッドとして商品化できる物となった。【００３８】  消臭効果については、アンモニア水を１０グラム垂らして２時間後に臭気を確認したところ、つんとした臭いは和らいだものの臭気が残っていた。
【実施例３】
【００３９】  本実施例では、枕用にポリエステルわたを４００グラムとグラフト重合糸を２０００ミリにカットした物１００グラムを充填物の原料として用意し、パッド用にはポリエステルわたを８００グラムとグラフト重合糸を２０００ミリにカットした物２００グラムを充填物の原料として用意した。これにより、５００グラム入りの枕と１キログラム入りのパッドを作った。【００４０】グラフト重合糸を２０００ミリにカットした物は、枕には丸めるようにして混ぜ込み、敷きパッドには伸ばすように並べて混ぜ込んだ。【００４１】  出来上がった枕とパッドは、グラフト重合糸が混ざっているという違和感もなく寝具として十分に快適性を言える商品となった。  丸洗いしても何の変形や支障もなく、洗える枕とパッドとして商品化できる物となった。【００４２】  消臭効果については、アンモニア水を１０グラム垂らして２時間後に臭気を確認したところ、ほとんど臭いは消えていた。しかし、この実施例では、手作業による手間がかかり過ぎ生産性に極めて疑問がある。
【実施例４】
【００４３】  本実施例では、枕用にポリエステルわたを４７５グラムとグラフト重合糸を２０００ミリにカットした物２５グラムを充填物の原料として用意し、パッド用にはポリエステルわたを９５０グラムとグラフト重合糸を２０００ミリにカットした物５０グラムを充填物の原料として用意した。これにより、５００グラム入りの枕と１キログラム入りのパッドを作った。【００４４】  グラフト重合糸を２０００ミリにカットした物は、枕には丸めるようにして混ぜ込み、敷きパッドには伸ばすように並べて混ぜ込んだ。【００４５】  出来上がった枕とパッドは、グラフト重合糸が混ざっているという違和感もなく寝具として十分に快適性を言える商品となった。【００４６】  丸洗いしても何の変形や支障もなく、洗える枕とパッドとして商品化できる物となった。消臭効果については、アンモニア水を１０グラム垂らして２時間後に臭気を確認したところ、つんとした臭いは和らいだものの臭気が残っていた。  この実施例では、手作業による手間は軽減されたが消臭効果において弱いと感じられる。
【実施例５】
【００４７】  本実施例では、枕用に綿わたを４００グラムとグラフト重合糸を１５ミリにカットした物１００グラムを充填物の原料として用意し、パッド用には綿わたを８００グラムとグラフト重合糸を１５ミリにカットした物２００グラムを充填物の原料として用意した。
これにより、５００グラム入りの枕と１キログラム入りのパッドを作った。【００４８】  出来上がった枕とパッドは、グラフト重合糸が混ざっているという違和感もなく寝具として十分に快適性を言える商品となった。  丸洗いしても何の変形や支障もなく、洗える枕とパッドとして商品化できる物となった。【００４９】  消臭効果については、アンモニア水を１０グラム垂らして２時間後に臭気を確認したところ、ほとんど臭いは消えていた。
【実施例６】
【００５０】  本実施例では、枕用に綿わたを４７５グラムとグラフト重合糸を１５ミリにカットした物２５グラムを充填物の原料として用意し、パッド用には綿わたを９５０グラムとグラフト重合糸を１５ミリにカットした物５０グラムを充填物の原料として用意した。
これにより、５００グラム入りの枕と１キログラム入りのパッドを作った。【００５１】  出来上がった枕とパッドは、グラフト重合糸が混ざっているという違和感もなく寝具として十分に快適性を言える商品となった。  丸洗いしても何の変形や支障もなく、洗える枕とパッドとして商品化できる物となった。【００５２】  消臭効果については、アンモニア水を１０グラム垂らして２時間後に臭気を確認したところ、つんとした臭いは和らいだものの臭気が残っていた。
「比較例１」【００５３】  次に、枕用にポリエステルわたを５００グラム用意して、グラフト重合糸を全く使わず枕に充填した。これにより、５００グラム入りの枕を作った。【００５４】  出来上がった枕は、もちろん寝具としては適応できる商品となった。また  丸洗いしても何の変形や支障もなく、洗える枕であった。【００５５】  消臭効果については、アンモニア水を１０グラム垂らして２時間後に臭気を確認したところ、つんとした臭いが未だ残った状態であった。
「比較例２」【００５６】  次に、パッド用にはポリエステルわたを１０００グラム用意しグラフト重合糸を全く使わずパッドに充填した。これにより、１キログラム入りのパッドを作った。【００５７】  出来上がったパッドは、もちろん寝具としては適応できる商品となった。また  丸洗いしても何の変形や支障もなく、洗えるパットであった。【００５８】  消臭効果については、アンモニア水を１０グラム垂らして２時間後に臭気を確認したところ、つんとした臭いが未だに残り臭いをかげる状態ではなかった。
【実施例７】
【００５９】  しかし、本考案の消臭効果については検査機関に検査を依頼するしかないため、財団法人日本紡績検査協会にアンモニア、酢酸、イソ吉草酸、ノネナールについて、洗濯１０回後、２時間経過時点での減少率のデータを依頼した。【００６０】  尚、検査を依頼する際には、グラフト重合糸重量１に対しポリエステルわた重量２０とするサンプルＡとグラフト重合糸重量１に対しポリエステルわた重量１とするサンプルＢの違った比率で２通りの比較が出来るように依頼した。【００６１】  その結果、アンモニア、酢酸、イソ吉草酸、ノネナールの全項目で、いずれも消臭効果が実証された。また、サンプルＢの方が全項目で減少率の優位性が確認できた。
【表１】
【００６２】  さらに、検査は洗濯１０回を繰り返した後の結果である為、洗濯にも強いことが実証され、期待していた通りの商品を作る事が出来る。
【符号の説明】
【００６３】１・・・合成繊維わた
２・・・グラフト重合糸を１５ミリにカットした物
３・・・１と２を混ぜ合わせたもの（中わた素材）
４・・・枕側生地
５・・・パッド側地
【図１】
0003164308.tif 000003
【図２】
0003164308.tif 000004
【図３】
0003164308.tif 000005
【手続補正書】
【提出日】平成22年9月9日(2010.9.9)
【手続補正１】
【補正対象書類名】実用新案登録請求の範囲
【補正対象項目名】全文
【補正方法】変更
【補正の内容】
【実用新案登録請求の範囲】
【請求項１】
寝具において、安全で持続な消臭効果をもたせるため、グラフト重合糸を、合成繊維、又は天然繊維から選択された綿状素材に、５重量％〜５０重量％で混ぜ込んだ綿を、天然繊維、合成繊維、およびこれらの混合繊維から選ばれた織布で被っていることを特徴とする消臭性綿入り寝具
【請求項２】
グラフト重合糸は、糸状又は綿塊状繊維物質に、放射線グラフト重合を用いて、機能性官能基を有する重合成ビニルモノマーをグラフト重合させることにより得られた繊維物質から作成された糸状繊維で３ミリ〜２５００ミリのものを使用したことを特徴とする請求項１に記載の消臭性綿入り寝具
【請求項３】
合成繊維として、ポリエチレン、ポリプロピレン、ポリエステル、ポリ塩化ビニル、及びポリ酢酸ビニル、天然繊維として、綿  羊毛であって、これらの単独又は混合物を使用した綿、及び織布であることを特徴とする請求項１又は請求項２に記載のる消臭性綿入り寝具
【請求項４】
寝具として、枕、パッド、肌掛け、掛け布団、敷き布団であることを特徴とする請求項１〜請求項３のいずれかに記載の消臭性綿入り寝具
【手続補正２】
【補正対象書類名】明細書
【補正対象項目名】００１３
【補正方法】変更
【補正の内容】
【００１３】  寝具において、安全で持続な消臭効果をもたせるため、グラフト重合糸を、合成繊維、又は天然繊維から選択された綿状素材に、５重量％〜５０重量％で混ぜ込んだ綿を、天然繊維、合成繊維、およびこれらの混合繊維から選ばれた織布で被っている消臭性綿入り寝具である。
【手続補正３】
【補正対象書類名】明細書
【補正対象項目名】００２３
【補正方法】変更
【補正の内容】
【００２３】
【図１】合成繊維とグラフト重合糸をカットし混ぜ合わせた中わた
【図２】本考案の中わたを入れた枕  Ａ：構成図  Ｂ：断面図  Ｃ：平面図  Ｄ：製品
【図３】本考案の中わたを入れたパッド  Ａ：構成図  Ｂ：断面図  Ｃ：平面図  Ｄ：製品
【手続補正４】
【補正対象書類名】明細書
【補正対象項目名】００３０
【補正方法】変更
【補正の内容】
【００３０】  よって、本実施例では、枕用にポリエステルわたを４００グラムとグラフト重合糸を１５ミリにカットした物１００グラムを充填物の原料として用意し４３×６３ｃｍ大の綿布の枕側に入れ、パッド用にはポリエステルわたを８００グラムとグラフト重合糸を１５ミリにカットした物２００グラムを充填物の原料として用意し、１００×２１０ｃｍ大の綿布のパッド側に入れた。これにより、５００グラム入りの枕と１キログラム入りのパッドを作った。
【手続補正５】
【補正対象書類名】明細書
【補正対象項目名】００３３
【補正方法】変更
【補正の内容】
【００３３】  図２と図３の中わた３において、グラフト重合糸を１５ミリにカットした物２の割合を多くした方が消臭効果は高まる事は言うまでもない。しかし、多くし過ぎるとコストも高くなるしポリエステルわたの風合いも損ねられ寝具として適さない中わたになるので本実施例では、グラフト重合糸を１５ミリにカットした物２とポリエステルわた１の割合を、１：４にした。
【手続補正６】
【補正対象書類名】明細書
【補正対象項目名】００３６
【補正方法】変更
【補正の内容】
【００３６】  本実施例では、枕用にポリエステルわたを４７５グラムとグラフト重合糸を１５ミリにカットした物２５グラムを充填物の原料として用意し、４３×６３ｃｍ大の綿布の枕側に入れ、パッド用にはポリエステルわたを９５０グラムとグラフト重合糸を１５ミリにカットした物５０グラムを充填物の原料として用意し１００×２１０ｃｍ大の綿布のパッド側に入れた。
これにより、５００グラム入りの枕と１キログラム入りのパッドを作った。
【手続補正７】
【補正対象書類名】明細書
【補正対象項目名】００３９
【補正方法】変更
【補正の内容】
【００３９】  本実施例では、枕用にポリエステルわたを４００グラムとグラフト重合糸を２０００ミリにカットした物１００グラムを充填物の原料として用意し４３×６３ｃｍ大の綿布の枕側に入れ、パッド用にはポリエステルわたを８００グラムとグラフト重合糸を２０００ミリにカットした物２００グラムを充填物の原料として用意し１００×２１０ｃｍ大の綿布のパッド側に入れた。これにより、５００グラム入りの枕と１キログラム入りのパッドを作った。
【手続補正８】
【補正対象書類名】明細書
【補正対象項目名】００４３
【補正方法】変更
【補正の内容】
【００４３】  本実施例では、枕用にポリエステルわたを４７５グラムとグラフト重合糸を２０００ミリにカットした物２５グラムを充填物の原料として用意し４３×６３ｃｍ大の綿布の枕側に入れ、パッド用にはポリエステルわたを９５０グラムとグラフト重合糸を２０００ミリにカットした物５０グラムを充填物の原料として用意し１００×２１０ｃｍ大の綿布のパッド側に入れた。これにより、５００グラム入りの枕と１キログラム入りのパッドを作った。
【手続補正９】
【補正対象書類名】明細書
【補正対象項目名】００４７
【補正方法】変更
【補正の内容】
【００４７】  本実施例では、枕用に綿わたを４００グラムとグラフト重合糸を１５ミリにカットした物１００グラムを充填物の原料として用意し４３×６３ｃｍ大の綿布の枕側に入れ、パッド用には綿わたを８００グラムとグラフト重合糸を１５ミリにカットした物２００グラムを充填物の原料として用意し１００×２１０ｃｍ大の綿布のパッド側に入れた。これにより、５００グラム入りの枕と１キログラム入りのパッドを作った。
【手続補正１０】
【補正対象書類名】明細書
【補正対象項目名】００５０
【補正方法】変更
【補正の内容】
【００５０】  本実施例では、枕用に綿わたを４７５グラムとグラフト重合糸を１５ミリにカットした物２５グラムを充填物の原料として用意し４３×６３ｃｍ大の綿布の枕側に入れ、パッド用には綿わたを９５０グラムとグラフト重合糸を１５ミリにカットした物５０グラムを充填物の原料として用意し１００×２１０ｃｍ大の綿布のパッド側に入れた。これにより、５００グラム入りの枕と１キログラム入りのパッドを作った。
【手続補正１１】
【補正対象書類名】明細書
【補正対象項目名】００５３
【補正方法】変更
【補正の内容】
【００５３】  次に、枕用にポリエステルわたを５００グラム用意して、グラフト重合糸を全く使わず４３×６３ｃｍ大の綿布の枕側に充填した。これにより、５００グラム入りの枕を作った。
【手続補正１２】
【補正対象書類名】明細書
【補正対象項目名】００５６
【補正方法】変更
【補正の内容】
【００５６】  次に、パッド用にはポリエステルわたを１０００グラム用意しグラフト重合糸を全く使わず１００×２１０ｃｍ大の綿布のパッド側に充填した。これにより、１キログラム入りのパッドを作った。
さらに、検査は洗濯１０回を繰り返した後の結果である為、洗濯にも強いことが実証され、期待していた通りの商品を作る事が出来る。
【手続補正１３】
【補正対象書類名】図面
【補正対象項目名】全図
【補正方法】変更
【補正の内容】
【図１】
0003164308.tif 000006
【図２】
0003164308.tif 000007
【図３】
0003164308.tif 000008